(57)【要約】      （修正有）【課題】体外血液循環路に介装される統合された装置を構成する上で、障害を生じる危険性や、少なくとも手術執刀者の行動の自由を低下させることのない、特に好適な１式のユニット集合体を提供する。【解決手段】体外血液循環路における統合された装置のためのユニット集合体は、静脈血液貯留器４及び静脈血液バッグにそれぞれ同等に設けられた補助手段１２，１５と選択的に一体結合可能な手段１０，１１が設けられた心臓切開手術用貯留器１を備える。【選択図】図２
2008000598.tif 000002
【特許請求の範囲】
【請求項１】
静脈血液貯留器と静脈血液バッグとにそれぞれ同等に設けられた補助手段と選択的に一体結合可能な手段を有する心臓切開手術用貯留器を備えたことを特徴とする体外血液循環路における統合された装置のためのユニット集合体。
【請求項２】
上記心臓切開手術用貯留器に設けられた上記手段は、上記静脈血液貯留器のリングと静脈血液バッグのリングとに選択的に挿入されて固定可能な少なくとも１つの円筒部からなることを特徴とする請求項１に記載の体外血液循環路における統合された装置のためのユニット集合体。
【請求項３】
上記心臓切開手術用貯留器は、上蓋部及び底部からそれぞれ突出し、上記静脈血液貯留器及び静脈血液バッグのそれぞれのリングに選択的に挿入されて固定可能な２つの円筒部を備えることを特徴とする請求項１に記載の体外血液循環路における統合された装置のためのユニット集合体。
【請求項４】
上記静脈血液貯留器の上記それぞれのリングは、上記静脈血液貯留器の上記上蓋部及び外殻部に一体的に連結されており、上記静脈血液バッグのそれぞれのリングは、上記静脈血液バッグを支持する硬質基部に一体的に連結されていることを特徴とする請求項３に記載の体外血液循環路における統合された装置のためのユニット集合体。
【請求項５】
上記心臓切開手術用貯留器から延設され、上記静脈血液貯留器と上記静脈血液バッグとに選択的に接続可能であって、はさみ状器具により閉塞可能なチューブを備えることを特徴とする請求項１に記載の体外血液循環路における統合された装置のためのユニット集合体。
【請求項６】
上記心臓切開手術用貯留器から延設され、上記静脈血液貯留器と上記静脈血液バッグとに選択的に接続可能であって、閉塞栓が設けられたチューブを備えることを特徴とする請求項１に記載の体外血液循環路における統合された装置のためのユニット集合体。
【請求項７】
上記静脈血液貯留器と上記静脈血液バッグとは、酸素添加ユニットに一体結合可能な同等の手段をそれぞれ有することを特徴とする請求項１に記載の体外血液循環路における統合された装置のためのユニット集合体。
【請求項８】
上記静脈血液貯留器と上記静脈血液バッグとを上記酸素添加ユニットに選択的に結合するための上記手段は、上記静脈血液貯留器の底部、及び上記静脈血液バッグを支持する硬質基部からそれぞれ突出し、上記酸素添加ユニットの上蓋部に設けられたスロットに挿入されて固定可能な同一形状のタブからなることを特徴とする請求項７に記載の体外血液循環路における統合された装置のためのユニット集合体。
【発明の詳細な説明】
【技術分野】
【０００１】
本発明は、体外血液循環路における統合された装置のためのユニット集合体に関する。
【背景技術】
【０００２】
ある種の外科手術の際に設置される体外血液循環路は、血液が内部を流動するように構成された複数のユニットからなることが知られている。そして、カニューレを用いて患者の静脈から抽出された血液が送られる最初のユニットは、静脈血液貯留器として知られる硬質の壁部を有した容器、或いは静脈血液バッグとして知られる軟質の壁部を有した容器である。
【０００３】
このような静脈血液貯留器や静脈血液バッグは、患者から直接血液を受け取るほか、心臓切開手術用貯留器として知られている、手術を行う場所において収集された血液を受け取って濾過するための付加的な容器に接続されている。
血液は、ポンプによって静脈血液貯留器や静脈血液バッグから取り出され、温度を調整するための熱交換器や、酸素を適正に付加するための酸素添加ユニットに送られ、最終的には適正なフィルタが設けられた動脈ラインを介して患者に戻される。
【発明の開示】
【発明が解決しようとする課題】
【０００４】
従って、手術が行われる場所の周囲には、障害を生じる危険性や、少なくとも手術執刀者の行動の自由を低下させる可能性を伴った状態で、多数のユニットが存在することになる。このため、様々なユニットを単一の装置に統合することにより、プライミング血液、即ち事前に循環路内を満たす必要のある血液の量を低減できるという付加的な利点を得ると共に、ユニットが占める大きさを低減する必要がある。
【０００５】
このような観点から本発明は、体外血液循環路に介装される統合された装置を構成する上で特に好適な１式のユニット集合体を提供することを目的とする。
【課題を解決するための手段】
【０００６】
このような目的を達成するため、本発明の体外血液循環路における統合された装置のためのユニット集合体は、静脈血液貯留器と静脈血液バッグとにそれぞれ同等に設けられた補助手段と選択的に一体結合可能な手段を有する心臓切開手術用貯留器を備えたことを特徴とする。
【発明の効果】
【０００７】
本発明の体外血液循環路における統合された装置のためのユニット集合体によれば、静脈血液貯留器と静脈血液バッグとにそれぞれ同等に設けられた補助手段を用いることにより、静脈血液貯留器と静脈血液バッグとに選択的に同タイプの心臓切開手術用貯留器を組み合わせることが容易に可能となる。この結果、体外血液循環路において２つの異なる統合装置を容易に構成することができると共に、体外血液循環路においてユニットに必要なスペースの使用効率を高めることが可能となる。
【発明を実施するための最良の形態】
【０００８】
本発明の更なる特徴及び効果は、添付の図面における限定されない例により示された、好ましいが限定的ではない実施形態の説明によって明らかになる。
以下、図面に基づき本発明の一実施形態について説明する。
各図において符号１は心臓切開手術用貯留器を示す。この心臓切開手術用貯留器１は、手術を行う場所からの血液を受け取るためのカップリング２ａ、及び任意に血液の取り出しを行うためのカップリング２ｂが設けられた上蓋部２を備えると共に、血液を流出させるためのカップリング３ａが設けられた底部３を備えている。
【０００９】
また、図１，２及び３において符号４は静脈血液貯留器を示す。この静脈血液貯留器４は、様々な箇所からの血液を受け取るためのカップリング５ａが設けられた上蓋部５を備えると共に、患者及び心臓切開手術用貯留器１のそれぞれからの血液を受け取るためのカップリング６ａ，６ｂが設けられたコネクタ６を底部に備えている。また、符号７は、血液流出用カップリングを示している。
【００１０】
更に、図４，５及び６において符号８は静脈血液バッグを示す。この静脈血液バッグ８には、その底部に近接して、心臓切開手術用貯留器１及び患者のそれぞれからの血液を流入させるためのカップリング８ａ，８ｂが設けられると共に、血液流出用カップリング８ｃが設けられている。また、符号８ｄは、排出用カップリングを示している。
最後に、符号９は、それぞれ血液が流入及び流出するためのカップリング９ａ，９ｂが設けられた酸素添加ユニットを示している。
【００１１】
本発明の重要な特徴は、心臓切開手術用貯留器１が、上蓋部２及び底部３のそれぞれから延設された２つの円筒部１０及び１１を備えていることにある。
円筒部１０は、静脈血液貯留器４の上蓋部５からタブ１２ａ，１２ｂを介して突出するリング（補助手段）１２と、静脈血液バッグ８を支持する硬質基部１４からタブ１３ａ，１３ｂを介して突出するリング（補助手段）１３とに、選択的に挿入されて固定できるようになっている。
【００１２】
円筒部１１は、静脈血液貯留器４の外殻部からタブ１５ａを介して突出するリング（補助手段）１５と、静脈血液バッグ８を支持する硬質基部１４からタブ１６ａを介して突出するリング（補助手段）１６とに、選択的に挿入されて固定できるようになっている。
当然のことながら、心臓切開手術用貯留器１を静脈血液貯留器４及び静脈血液バッグ８に選択的に連結するための手段は、上記構成に限定されるものではなく、様々な構成を採用することが可能である。
【００１３】
また、心臓切開手術用貯留器１の流出用のカップリング３ａから延設されたチューブ１７が、静脈血液貯留器４のカップリング６ｂと、静脈血液バッグ８のカップリング８ａとに選択的に接続可能となっている。このチューブ１７は、心臓切開手術用貯留器１から血液を供給する必要がないとき、クランプとして知られている公知のはさみ状器具を用いて閉塞できるようになっており、栓を備えたチューブに置き換えても良い。
【００１４】
静脈血液貯留器４及び静脈血液バッグ８は、酸素添加ユニット９への一体的な結合のため、同一のタブ１８及び１９からなる同等の手段を備えている。これらのタブ１８及び１９は、静脈血液貯留器４の底部及び静脈血液バッグ８を支持する硬質基部１４からそれぞれ突出しており、酸素添加ユニット９の上蓋部に設けられたスロット２０に挿入されることにより、スロット２０に固定されるようになっている。当然のことながら、この手段についても様々な構成を採用可能である。
【００１５】
このようにして４つのユニットが提供されることにより、各ユニットを個々に使用したり、２つの異なる統合装置を構成するように組み合わせたりすることができる。また、静脈血液貯留器４及び静脈血液バッグ８に同等の結合手段を採用することにより、いずれの統合装置においても同じタイプの心臓切開手術用貯留器１及び同じタイプの酸素添加ユニット９を用いることが可能となる。
【００１６】
以上のように説明した本発明は、上述した構成のほかに様々な変形や変更が可能であるが、それらはいずれも添付の特許請求の範囲に含まれるものであると共に、詳細の全ては技術的に均等な別の要素に置き換えるようにしても良い。
【図面の簡単な説明】
【００１７】
【図１】統合された装置を構成するように組み合わせることが可能な、心臓切開手術用貯留器、静脈血液貯留器、及び酸素添加ユニットの３つのユニットの斜視図である。
【図２】図１のユニットを組み合わせることにより統合された装置の斜視図である。
【図３】図１のユニットを組み合わせることにより統合された装置の側面図である。
【図４】統合された装置を構成するように組み合わせることが可能な、心臓切開手術用貯留器、静脈血液バッグ、及び酸素添加ユニットの３つのユニットの斜視図である。
【図５】図４のユニットを組み合わせることにより統合された装置の斜視図である。
【図６】図４のユニットを組み合わせることにより統合された装置の側面図である。
【符号の説明】
【００１８】
１  心臓切開手術用貯留器
４  静脈血液貯留器
８  静脈血液バッグ
９  酸素添加ユニット
１０，１１  円筒部
１２，１３，１５，１６  リング（補助手段）
１７  チューブ
１８，１９  タブ
２０  スロット
【図１】
2008000598.tif 000003
【図２】
2008000598.tif 000004
【図３】
2008000598.tif 000005
【図４】
2008000598.tif 000006
【図５】
2008000598.tif 000007
【図６】
2008000598.tif 000008